Podtech/llm-jp-corpus-v4-ja_patent huggingface dataset:
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
店舗に設けられ、ユーザが所有する有価価値と交換可能な複数の景品を表示する表示手段と、該表示手段に表示される景品の中から、交換を予約する景品の選択を前記ユーザから受け付ける予約受付手段と、該予約受付手段にて選択された景品を特定可能な景品特定情報を含む予約要求を送信する予約要求送信手段と、を有する景品表示装置と、
前記予約要求送信手段から送信されてきた予約要求に含まれる景品特定情報から特定される景品を前記ユーザに提供するための予約処理を行う予約処理手段と、各景品の在庫数を管理する在庫数管理手段と、各景品について、前記予約処理に供された予約個数を集計する予約個数集計手段と、前記在庫数管理手段で管理している在庫数と、該予約個数集計手段にて集計された予約個数とに基づいて、前記景品の予約が可能であるか否かを判定する予約可否判定手段と、該予約可否判定手段により景品の予約が可能でないと判定されたことを条件として、該判定の対象となった景品の予約を停止するための予約停止情報を前記景品表示装置に送信する予約停止情報送信手段と、を有する景品管理装置と、
を備える景品交換システムであって、
前記景品管理装置は、
前記複数の景品のうち、予約を停止する景品の指定を受け付ける予約停止景品受付手段をさらに有し、
該予約停止景品受付手段にて指定を受け付けた景品の予約を停止するための予約停止情報を前記予約停止情報送信手段により前記景品表示装置に送信することを特徴とする景品交換システム。
【請求項２】
請求項１に記載した景品交換システムであって、
前記景品管理装置は、前記在庫数管理手段で管理している在庫数の変更を受け付ける在庫数変更手段をさらに有し、
前記予約可否判定手段は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システム。
【請求項３】
店舗に設けられ、ユーザが所有する有価価値と交換可能な複数の景品を表示する表示手段と、該表示手段に表示される景品の中から、交換を予約する景品の選択を前記ユーザから受け付ける予約受付手段と、該予約受付手段にて選択された景品を特定可能な景品特定情報を含む予約要求を送信する予約要求送信手段と、を有する景品表示装置と、
前記予約要求送信手段から送信されてきた予約要求に含まれる景品特定情報から特定される景品を前記ユーザに提供するための予約処理を行う予約処理手段と、各景品の初期在庫数から前記予約処理に供された予約個数を減算した現在在庫数を管理する現在在庫数管理手段と、該現在在庫数に基づいて、前記景品の予約が可能であるか否かを判定する予約可否判定手段と、該予約可否判定手段により景品の予約が可能でないと判定されたことを条件として、該判定の対象となった景品の予約を停止するための予約停止情報を前記景品表示装置に送信する予約停止情報送信手段と、を有する景品管理装置と、
を備える景品交換システムであって、
前記景品管理装置は、
前記複数の景品のうち、予約を停止する景品の指定を受け付ける予約停止景品受付手段をさらに有し、
該予約停止景品受付手段にて指定を受け付けた景品の予約を停止するための予約停止情報を前記予約停止情報送信手段により前記景品表示装置に送信することを特徴とする景品交換システム。
【請求項４】
請求項３に記載した景品交換システムであって、
前記景品管理装置は、
各景品の初期在庫数を管理する初期在庫数管理手段と、
該初期在庫数管理手段で管理している初期在庫数の変更を受け付ける在庫数変更手段と、
該在庫数変更手段にて初期在庫数の変更を受け付けたことを条件として、初期在庫数の変動数に基づいて、前記現在在庫数管理手段で管理している現在在庫数を更新する現在在庫数更新手段と、をさらに有し、
前記予約可否判定手段は、該現在在庫数更新手段にて現在在庫数が更新されたことを条件として、該更新された後の現在在庫数に基づいて、前記景品の予約が可能であるか否かを判定することを特徴とする景品交換システム。
【請求項５】
請求項１〜４のいずれか１つに記載した景品交換システムであって、
前記景品管理装置は、
前記予約要求を受信したことに基づいて、該予約要求に含まれる景品特定情報から特定される景品が前記予約停止景品受付手段にて指定を受け付けた景品であるか否かを判定する予約停止景品判定手段をさらに有し、
該予約停止景品判定手段により前記指定を受け付けた景品であると判定されたことを条件として、前記予約停止情報を前記予約停止情報送信手段により送信することを特徴とする景品交換システム。
【請求項６】
請求項５に記載した景品交換システムであって、
前記景品表示装置は、前記予約停止情報を受信したことに基づいて、前記予約停止景品受付手段にて指定を受け付けた景品を、前記表示手段に表示しないか、又は、選択不能に該表示手段に表示する処理を行うことを特徴とする景品交換システム。
【請求項７】
請求項１〜５のいずれか１つに記載した景品交換システムであって、
前記景品管理装置は、前記景品表示装置に景品を表示するための景品情報を所定期間毎に該景品表示装置に送信する景品情報送信手段をさらに有し、
該景品情報送信手段は、前記予約停止景品受付手段にて指定を受け付けた景品の景品情報を除いた前記景品情報を送信することを特徴とする景品交換システム。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
遊技を制御する遊技制御手段を備え、特定の遊技状態の発生に基づいて遊技価値を付与可能な遊技機において、
前記遊技制御手段は、
所定の最小値と最大値の範囲内で循環して更新される周期的カウンタと、
前記周期的カウンタの値を記憶保持する周期的カウンタ記憶手段と、
遊技における所定の事象の発生を検出する検出手段と、
前記検出手段の検出結果に基づいて、前記周期的カウンタ記憶手段に記憶された前記周期的カウンタの値を取得する周期的カウンタ値取得手段と、
前記周期的カウンタ値取得手段が取得した前記周期的カウンタの値に基づいて、前記特定の遊技状態発生の抽選を行う抽選手段と、
リセット信号の入力に基づいて、遊技制御をリセットするリセット手段と、
前記遊技制御のリセット後における前記周期的カウンタの１周目の周回初期値として、前記最小値と最大値の範囲内となるランダムな値を生成する初期値生成手段と、
前記遊技制御がリセットされたことに基づいて、前記初期値生成手段が生成した値を前記周期的カウンタの１周目の周回初期値に設定する第１カウンタ値攪拌手段と、を備え、
前記第１カウンタ値攪拌手段は、前記リセット後における前記検出手段の最初の検出処理の実行前に、前記周期的カウンタの１周目の周回初期値を設定することを特徴とする遊技機。
【請求項２】
前記遊技制御手段は、
前記遊技制御の実行に基づいて前記最小値と最大値の範囲内で循環して更新され、前記周期的カウンタの２周目以降の周回初期値となる値を生成する初期値カウンタと、
前記初期値カウンタの値を記憶保持する初期値カウンタ記憶手段と、
前記周期的カウンタが更新されて当該周回の周回初期値に達したことに基づいて、前記初期値カウンタの値を前記周期的カウンタの次周回の周回初期値として設定する第２カウンタ値攪拌手段と、を備え、
前記第１カウンタ値攪拌手段は、前記初期値生成手段が前記初期値カウンタ記憶手段に記憶保持されている周回初期値を前記最小値と最大値の範囲内となるようにマスクした値を前記周期的カウンタの１周目の周回初期値に設定することを特徴とする請求項１に記載の遊技機。
【請求項３】
前記遊技制御手段は、ループしながら繰り返し実行するメイン処理及び所定時間毎に実行するタイマ割込処理を実行可能であり、
前記初期値カウンタは、前記メイン処理及び前記タイマ割込処理においてそれぞれ更新されることを特徴とする請求項２に記載の遊技機。
【手続補正２】
【補正対象書類名】明細書
【補正対象項目名】０００１
【補正方法】変更
【補正の内容】
【０００１】
本発明は、周期的なカウンタの値に基づいて特定の遊技状態（例えば、大当たり状態）の発生を抽選する遊技機の不正防止に関する。
【手続補正３】
【補正対象書類名】明細書
【補正対象項目名】０００９
【補正方法】変更
【補正の内容】
【０００９】
そこで本発明は、上記問題点に鑑みてなされたもので、外部からの乱数の捕捉を困難にして不正行為の防止を目的とする。
【手続補正４】
【補正対象書類名】明細書
【補正対象項目名】００１０
【補正方法】変更
【補正の内容】
【００１０】
本発明は、遊技を制御する遊技制御手段を備え、特定の遊技状態の発生に基づいて遊技価値を付与可能な遊技機において、前記遊技制御手段は、所定の最小値と最大値の範囲内で循環して更新される周期的カウンタと、前記周期的カウンタの値を記憶保持する周期的カウンタ記憶手段と、遊技における所定の事象の発生を検出する検出手段と、前記検出手段の検出結果に基づいて、前記周期的カウンタ記憶手段に記憶された前記周期的カウンタの値を取得する周期的カウンタ値取得手段と、前記周期的カウンタ値取得手段が取得した前記周期的カウンタの値に基づいて、前記特定の遊技状態発生の抽選を行う抽選手段と、リセット信号の入力に基づいて、遊技制御をリセットするリセット手段と、前記遊技制御のリセット後における前記周期的カウンタの１周目の周回初期値として、前記最小値と最大値の範囲内となるランダムな値を生成する初期値生成手段と、前記遊技制御がリセットされたことに基づいて、前記初期値生成手段が生成した値を前記周期的カウンタの１周目の周回初期値に設定する第１カウンタ値攪拌手段と、を備え、前記第１カウンタ値攪拌手段は、前記リセット後における前記検出手段の最初の検出処理の実行前に、前記周期的カウンタの１周目の周回初期値を設定する。
【手続補正５】
【補正対象書類名】明細書
【補正対象項目名】００１１
【補正方法】変更
【補正の内容】
【００１１】
本発明は、周期的カウンタは循環して更新され、遊技球の入賞などの遊技の所定の事象が検出されたときに周期的カウンタの値を取得して、大当たり等の特定遊技状態抽選を行っているが、遊技制御のリセット後には、所定の事象の検出処理の実行前に、周期的カウンタの１周目の周回初期値として、初期値生成手段が周期的カウンタの最小値と最大値の範囲内で生成したランダムな値を周回初期値に設定するので、リセット後の周期的カウンタの値を外部から補捉することが困難となる。また、不正行為者が周期的カウンタの更新タイミングを割り出したとしても、リセット後の周期的カウンタの１周目の周回初期値が設定されるまでは所定の事象の検出処理が実行されず、不正な遊技を防止できる。
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
馬鈴薯を還元状態で磨砕した後に、澱粉質と分離液とに分離する工程、
得られた分離液を、加熱した後タンパク質を分離してろ液を得る工程、
得られたろ液を濃縮する工程、
得られた濃縮液を膜処理および／またはイオン交換樹脂処理する工程、
を含むことを特徴とする、馬鈴薯由来のオリゴペプチドとオリゴ糖の混合物の抽出方法。
【請求項２】
馬鈴薯を還元剤の存在下で磨砕する、請求項１記載の馬鈴薯由来のオリゴペプチドとオリゴ糖の混合物の抽出方法。
【請求項３】
還元剤が亜硫酸塩である、請求項２記載の馬鈴薯由来のオリゴペプチドとオリゴ糖の混合物の抽出方法。
【請求項４】
馬鈴薯を還元状態で磨砕した後に、澱粉質と分離液とに分離する工程、
得られた分離液を、加熱した後、タンパク質を分離してろ液を得る工程、
得られたろ液を濃縮する工程、
得られた濃縮液を膜処理および／またはイオン交換樹脂処理する工程、
を含む工程により得られる、馬鈴薯由来のオリゴペプチド、オリゴ糖の混合物。
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
馬鈴薯をキレート剤と還元剤の存在下で磨砕し、固形分と水溶液とに分離する工程と、
上記工程で得られた水溶液を加熱した後にタンパク質を分離する工程と、を含むことを特徴とする、馬鈴薯由来タンパク質の抽出方法。
【請求項２】
馬鈴薯をキレート剤と還元剤の存在下で磨砕し、固形分と水溶液とに分離する工程と、
上記工程で得られた水溶液を等電点に調整して加熱した後にタンパク質を分離する工程と、を含むことを特徴とする、馬鈴薯由来タンパク質の抽出方法。
【請求項３】
馬鈴薯をキレート剤と還元剤の存在下で磨砕し、固形分と水溶液とに分離する第１工程と、
上記第１工程で得られた水溶液を加熱した後にタンパク質を分離する第２工程と、
上記第２工程で得られたタンパク質をタンパク質分解酵素で分解する第３工程と、を含むことを特徴とする、馬鈴薯由来タンパク質組成物の抽出方法。
【請求項４】
馬鈴薯をキレート剤と還元剤の存在下で磨砕し、固形分と水溶液とに分離する第１工程と、
上記第１工程で得られた水溶液を等電点に調整してタンパク質を分離する第２工程と、
上記第２工程で得られたタンパク質を加熱した後にタンパク質を分離する第３工程と、
上記第３工程で得られたタンパク質をタンパク質分解酵素で分解する第４工程と、を含むことを特徴とする、馬鈴薯由来タンパク質組成物の抽出方法。
【請求項５】
馬鈴薯をキレート剤と還元剤の存在下で磨砕し、固形分と水溶液とに分離する工程と、
上記工程で得られた水溶液を等電点に調整してタンパク質を分離する工程と、を含むことを特徴とする、馬鈴薯澱粉抽出液の処理方法。
【請求項６】
馬鈴薯由来のタンパク質を含み、チロシナーゼが失活していることを特徴とする、馬鈴薯由来のタンパク組成物質。
【請求項７】
馬鈴薯由来のタンパク質とその部分分解物を含むタンパク質組成物であって、チロシナーゼが失活していることを特徴とする、馬鈴薯由来のタンパク質とその部分分解物を含むタンパク質組成物。
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
液体消費装置に液体を供給するための液体収容体であって、
前記液体を収容する液体収容部と、
前記液体消費装置に前記液体を供給するための液体供給部と、
前記液体収容部から前記液体供給部に至る液体流動部と、
前記液体流動部に設けられ、前記設けられた位置における前記液体の有無を検出するためのセンサと、
前記液体流動部において、前記センサより前記液体供給部側に配置され、前記液体を撹拌する撹拌体と、
を備える、液体収容体。
【請求項２】
請求項１に記載の液体収容体において、
前記液体流動部は、前記センサより前記液体供給部側に設けられたバッファ室を備え、
前記撹拌体は、前記バッファ室に配置され、前記バッファ室内の前記液体を撹拌する、液体収容体。
【請求項３】
請求項２に記載の液体収容体において、
前記液体流動部は、前記液体を減圧する差圧弁が収容された差圧弁収容室を備え、
前記差圧弁収容室は、前記バッファ室より前記液体供給部側に前記バッファ室と直接に連通するように設けられている、液体収容体。
【請求項４】
請求項２または請求項３に記載の液体収容体において、
前記液体収容体は、前記液体消費装置に備えられた所定の移動方向に往復移動する装着部に装着されて用いられ、
前記バッファ室は、前記移動方向に沿って前記液体が流動する移動方向流動部を備え、
前記撹拌体は、前記バッファ室の前記移動方向流動部に配置されている、液体収容体。
【請求項５】
請求項４に記載の液体収容体において、
前記撹拌体の重力方向の巾は、前記移動方向流動部の重力方向の巾の略半分あるいは半分より大きい、液体収容体。
【請求項６】
請求項４または請求項５に記載の液体収容体において、
前記移動方向流動部の前記移動方向の巾は、前記移動方向に垂直かつ重力方向に垂直な方向の巾より大きい、液体収容体。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
画像を形成する画像形成部を色成分毎に備え、各色成分の画像を重ね合わせてカラー画像を形成する画像形成装置であって、
前記画像形成部における像担持体上の走査線の副走査方向についてのずれ量を、走査線方向の位置に対応づけて示すプロファイル情報を保存する保存手段と、
ドット画像データに対して誤差拡散処理を施す誤差拡散処理手段と、
前記画像形成部における像担持体上の走査線の副走査方向についてのずれ量を相殺するように、前記プロファイル情報に基づいて、前記誤差拡散処理手段により量子化されたドット画像データの各画素の位置を副走査方向に画素単位でずらすレジストレーションずれ補正手段とを備え、
前記誤差拡散処理手段は、前記プロファイル情報に基づいて、前記ドット画像データを副走査方向にずらす位置を含む予め定めた第２の領域と、それ以外の第１の領域とで相異なる配分で誤差を拡散することを特徴とする画像形成装置。
【請求項２】
画像を形成する画像形成部を色成分毎に備え、各色成分の画像を重ね合わせてカラー画像を形成する画像形成装置であって、
前記画像形成部における像担持体上の走査線の副走査方向についてのずれ量を、走査線方向の位置に対応づけて示すプロファイル情報を保存する保存手段と、
前記画像形成部における像担持体上の走査線の副走査方向についてのずれ量を相殺するように、前記プロファイル情報に基づいて、処理対象のドット画像データの各画素の位置を副走査方向に画素単位でずらすレジストレーションずれ補正手段と、
前記レジストレーションずれ補正手段により処理されたドット画像データに対して誤差拡散処理を施す誤差拡散処理手段とを備え、
前記誤差拡散処理手段は、前記プロファイル情報に基づいて、前記ドット画像データを副走査方向にずらす位置を含む予め定めた第２の領域と、それ以外の第１の領域とで相異なる配分で誤差を拡散することを特徴とする画像形成装置。
【請求項３】
前記レジストレーションずれ補正手段により、走査線の副走査方向についてのずれ量を相殺するために、ドット画像データにおける注目ラインとその下のラインとを接続することで画素がずらされる場合、前記誤差拡散処理手段は、前記第２の領域に属する注目画素について、前記第１の領域に比して次ラインへの誤差配分を大きくし、
前記レジストレーションずれ補正手段により、走査線の副走査方向についてのずれ量を相殺するために、ドット画像データにおける注目ラインとその上のラインとを接続することで画素がずらされる場合、前記誤差拡散処理手段は、前記第２の領域に属する注目画素について注目画素の次々ラインへの誤差配分を大きくすることを特徴とする請求項１又は２に記載の画像形成装置。
【請求項４】
画像を形成する画像形成部を色成分毎に備え、各色成分の画像を重ね合わせてカラー画像を形成し、前記画像形成部における像担持体上の走査線の副走査方向についてのずれ量を、走査線方向の位置に対応づけて示すプロファイル情報を保存する保存手段を備える画像形成装置における画像形成方法であって、
誤差拡散処理手段が、ドット画像データに対して誤差拡散処理を施す誤差拡散処理工程と、
レジストレーションずれ補正手段が、前記画像形成部における像担持体上の走査線の副走査方向についてのずれ量を相殺するように、前記プロファイル情報に基づいて、前記誤差拡散処理工程により量子化されたドット画像データの各画素の位置を副走査方向に画素単位でずらすレジストレーションずれ補正工程とを有し、
前記誤差拡散処理工程では、前記プロファイル情報に基づいて、前記ドット画像データを副走査方向にずらす位置を含む予め定めた第２の領域と、それ以外の第１の領域とで相異なる配分で誤差を拡散することを特徴とする画像形成方法。
【請求項５】
画像を形成する画像形成部を色成分毎に備え、各色成分の画像を重ね合わせてカラー画像を形成し、前記画像形成部における像担持体上の走査線の副走査方向についてのずれ量を、走査線方向の位置に対応づけて示すプロファイル情報を保存する保存手段を備える画像形成装置における画像形成方法であって、
レジストレーションずれ補正手段が、前記画像形成部における像担持体上の走査線の副走査方向についてのずれ量を相殺するように、前記プロファイル情報に基づいて、処理対象のドット画像データの各画素の位置を副走査方向に画素単位でずらすレジストレーションずれ補正工程と、
誤差拡散処理手段が、前記レジストレーションずれ補正工程により処理されたドット画像データに対して誤差拡散処理を施す誤差拡散処理工程とを有し、
前記誤差拡散処理工程では、前記プロファイル情報に基づいて、前記ドット画像データを副走査方向にずらす位置を含む予め定めた第２の領域と、それ以外の第１の領域とで相異なる配分で誤差を拡散することを特徴とする画像形成方法。
【請求項６】
画像を形成する画像形成部を色成分毎に備え、各色成分の画像を重ね合わせてカラー画像を形成する画像形成装置を、
前記画像形成部における像担持体上の走査線の副走査方向についてのずれ量を、走査線方向の位置に対応づけて示すプロファイル情報を保存する保存手段と、
ドット画像データに対して誤差拡散処理を施す誤差拡散処理手段と、
前記画像形成部における像担持体上の走査線の副走査方向についてのずれ量を相殺するように、前記プロファイル情報に基づいて、前記誤差拡散処理手段により量子化されたドット画像データの各画素の位置を副走査方向に画素単位でずらすレジストレーションずれ補正手段として機能させるためのプログラムであって、
前記誤差拡散処理手段は、前記プロファイル情報に基づいて、前記ドット画像データを副走査方向にずらす位置を含む予め定めた第２の領域と、それ以外の第１の領域とで相異なる配分で誤差を拡散することを特徴とするプログラム。
【請求項７】
画像を形成する画像形成部を色成分毎に備え、各色成分の画像を重ね合わせてカラー画像を形成する画像形成装置を、
前記画像形成部における像担持体上の走査線の副走査方向についてのずれ量を、走査線方向の位置に対応づけて示すプロファイル情報を保存する保存手段と、
前記画像形成部における像担持体上の走査線の副走査方向についてのずれ量を相殺するように、前記プロファイル情報に基づいて、処理対象のドット画像データの各画素の位置を副走査方向に画素単位でずらすレジストレーションずれ補正手段と、
前記レジストレーションずれ補正手段により処理されたドット画像データに対して誤差拡散処理を施す誤差拡散処理手段として機能させるためのプログラムであって、
前記誤差拡散処理手段は、前記プロファイル情報に基づいて、前記ドット画像データを副走査方向にずらす位置を含む予め定めた第２の領域と、それ以外の第１の領域とで相異なる配分で誤差を拡散することを特徴とするプログラム。
【手続補正書】
【提出日】平成22年6月25日(2010.6.25)
【手続補正１】
【補正対象書類名】特許請求の範囲
【補正対象項目名】請求項１
【補正方法】変更
【補正の内容】
【請求項１】
画像信号に応じてレーザを発光駆動し、当該レーザから発光されるレーザ光により感光体を露光走査して画像を形成する画像形成装置であって、
前記レーザから発光されるレーザ光量を検知する検知手段と、
前記検知手段により検知されたレーザ光量に対応するデジタル値と、目標とするレーザ光量に対応するデジタル値とを比較する比較手段と、
前記比較手段の比較結果に応じて、前記レーザから発光されるレーザ光量が前記目標とするレーザ光量となるように、前記レーザを駆動する駆動電流を決定するための制御値を求める演算手段と、
前記演算手段により得られた制御値に応じた駆動電流で前記レーザを駆動するレーザ駆動手段とを有し、
現走査ラインの露光走査における前記レーザの駆動電流は、それ以前の走査ラインでの前記レーザのレーザ光量に基づく前記制御値により決定されることを特徴とする画像形成装置。
【手続補正２】
【補正対象書類名】特許請求の範囲
【補正対象項目名】請求項５
【補正方法】変更
【補正の内容】
【請求項５】
画像信号に応じてレーザを発光駆動し、当該レーザから発光されるレーザ光により感光体を露光走査して画像を形成する画像形成装置であって、
前記レーザから発光されるレーザ光量を検知する検知手段と、
前記検知手段により検知されたレーザ光量に対応するデジタル値と、目標とするレーザ光量に対応するデジタル値とを比較する比較手段と、
前記比較手段の比較結果に応じて、前記レーザから発光されるレーザ光量が前記目標とするレーザ光量となるように、前記レーザを駆動する駆動電流を決定するための制御値を求める演算手段と、
前記演算手段により得られた制御値に応じた駆動電流で前記レーザを駆動するレーザ駆動手段とを有し、
前記目標とするレーザ光量を像形成時のレーザ光量とした場合に前記検知手段により検知されたレーザ光量に対応するデジタル値と、前記目標とするレーザ光量を前記像形成時のレーザ光量の整数分の１の光量とした場合に前記検知手段により検知されたレーザ光量に対応するデジタル値とを用いて、前記レーザの発光閾値、駆動電流値を算出することを特徴とする画像形成装置。
【手続補正３】
【補正対象書類名】明細書
【補正対象項目名】００２１
【補正方法】変更
【補正の内容】
【００２１】
上記目的を達成するために本発明の一態様に係る画像形成装置は以下のような構成を備える。即ち、
画像信号に応じてレーザを発光駆動し、当該レーザから発光されるレーザ光により感光体を露光走査して画像を形成する画像形成装置であって、
前記レーザから発光されるレーザ光量を検知する検知手段と、
前記検知手段により検知されたレーザ光量に対応するデジタル値と、目標とするレーザ光量に対応するデジタル値とを比較する比較手段と、
前記比較手段の比較結果に応じて、前記レーザから発光されるレーザ光量が前記目標とするレーザ光量となるように、前記レーザを駆動する駆動電流を決定するための制御値を求める演算手段と、
前記演算手段により得られた制御値に応じた駆動電流で前記レーザを駆動するレーザ駆動手段とを有し、
現走査ラインの露光走査における前記レーザの駆動電流は、それ以前の走査ラインでの前記レーザのレーザ光量に基づく前記制御値により決定されることを特徴とする。
【手続補正４】
【補正対象書類名】図面
【補正対象項目名】図４
【補正方法】変更
【補正の内容】
【図４】
2009034864.tif 000001
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射すべく操作されるハンドル装置を遊技機本体の前面に備えており、
前記ハンドル装置は、
前記遊技機本体に固定される基部と、
前記ハンドル装置の前面側を構成する前面カバーと、
前記基部と前記前面カバーとの間に設けられ、遊技球の発射操作に際して回動操作される操作部と、
を備え、前記基部と前記前面カバーとは第１固定構造により固定されており、
前記前面カバーは、
不透明性材料により形成された内側カバー部材と、
当該内側カバー部材の表面を外側から覆うようにして設けられ、前記内側カバー部材が視認可能なように透明性材料又は半透明性材料により形成された外側カバー部材と、
を備え、前記内側カバー部材と前記外側カバー部材とは第２固定構造により固定されており、
前記第２固定構造は、
前記外側カバー部材において前記操作部により外側から覆われる部位に形成された付勢受け部と、
前記内側カバー部材の裏面に固定され、一部が前記付勢受け部にて受けられる固定部材と、
を備えており、前記固定部材は前記内側カバー部材に固定された状態で弾性変形し、この弾性変形によって生じる付勢力が前記付勢受け部により受けられていることで、前記外側カバー部材と前記内側カバー部材とが相互に近付くように付勢されており、
前記第１固定構造は、
前記内側カバー部材の裏面側に形成された固定受け部と、
前記基部側から前記固定受け部に受けられ、当該固定受け部に受けられることで前記基部に前記内側カバー部材を固定する固定具と、
を備えていることを特徴とする遊技機。
【請求項２】
前記固定部材が前記付勢受け部に受けられていることにより、前記操作部の回動方向への前記外側カバー部材の回動が規制されていることを特徴とする請求項１に記載の遊技機。
【請求項３】
前記操作部は当該操作部の外周部分を構成する外環部を備えているとともに、前記外側カバー部材は前記外環部の前側端部の全周と前後に対向する対向壁部を備えており、
前記付勢受け部は、前記外側カバー部材において前記対向壁部よりも前記基部側であって前記外環部により外側から覆われた部位に形成されており、
さらに、前記固定具は、前記対向壁部を前記外環部の前側端部に向けて引寄せる方向に前記内側カバー部材に力を加えて当該内側カバー部材を前記基部に固定するものであることを特徴とする請求項１又は２に記載の遊技機。
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
被炊飯物を収納する内釜と、
被炊飯物を加熱する加熱手段と、
前記内釜が載置され前記加熱手段を装備する本体と、
該本体に設置され、前記内釜の上部開口部を開閉自在に覆う蓋体と、
前記被炊飯物が加熱された際、前記内釜から排出される空気および前記被炊飯物から生じる蒸気を誘導するガス誘導手段と、
該ガス誘導手段によって誘導された前記空気および蒸気が注入される空気溜まり手段と、
該空気溜まり手段を収納する水タンクと、
を有し、
前記ガス誘導手段によって誘導された空気によって、前記空気溜まり手段に一旦空気溜まり部が形成され、前記ガス誘導手段によって誘導され蒸気が、当該空気溜まり部に注入されることを特徴とする炊飯器。
【請求項２】
前記空気溜まり手段が、空気溜まり天板と、該空気溜まり天板の側縁から略下方に向かって形成された空気溜まり側板とを有し、
前記空気溜まり手段の空気溜まり天板の上方に所定高さの水の層が形成され、当該水の層の範囲において水の対流が促進されることを特徴とする請求項１記載の炊飯器。
【請求項３】
前記空気溜まり手段が、空気溜まり天板と、該空気溜まり天板の側縁から略下方に向かって形成された空気溜まり側板とを有し、
前記空気溜まり手段の空気溜まり天板に、水が通過自在であってガスが通過不能な微小孔が形成されていることを特徴とする請求項１または２記載の炊飯器。
【請求項４】
前記空気溜まり手段が、空気溜まり天板と、該空気溜まり天板の側縁から略下方に向かって形成された空気溜まり側板とを有し、
前記空気溜まり側板で前記空気溜まり天板の近傍にガス注入口が形成されることを特徴とする請求項１乃至３の何れかに記載の炊飯器。
【請求項５】
前記空気溜まり手段の空気溜まり天板は、前記ガス注入口が形成されている空気溜まり側板との接合部に向かって高くなるように傾斜していることを特徴とする請求項４記載の炊飯器。
【請求項６】
前記空気溜まり手段の空気溜まり天板は、前記ガス注入口が形成されている空気溜まり側板との接合部に近い範囲が上方に凸出していることを特徴とする請求項４または５記載の炊飯器。
【請求項７】
前記ガス注入口は、水平方向に長いスリット状であることを特徴とする請求項４乃至６の何れかに記載の炊飯器。
【請求項８】
前記空気溜まり手段が、空気溜まり天板と、該空気溜まり天板の側縁から略下方に向かって形成された空気溜まり側板とを有し、
前記空気溜まり天板に、前記ガス誘導手段によって誘導され空気および蒸気が通過するガス注入口が形成されることを特徴とする請求項１または２記載の炊飯器。
【請求項９】
前記空気溜まり手段の空気溜まり天板は、前記ガス注入口に向かって高くなるように傾斜していることを特徴とする請求項８記載の炊飯器。
【請求項１０】
前記空気溜まり手段の空気溜まり天板には、前記ガス注入口が形成された部分が上方に凸出していることを特徴とする請求項８または９記載の炊飯器。
【請求項１１】
前記空気溜まり手段が、空気溜まり天板と、該空気溜まり天板の側縁から略下方に向かって形成された空気溜まり側板とを有し、
前記空気溜まり手段の内側に侵入するガス注入管が設置され、当該ガス注入管の先端が前記空気溜まり天板の近傍に位置することを特徴とする請求項１または２記載の炊飯器。
【請求項１２】
前記空気溜まり天板は、前記ガス注入管の先端の位置に相当する位置に向かって高くなるように傾斜していることを特徴とする請求項１１記載の炊飯器。
【請求項１３】
前記空気溜まり天板は、前記ガス注入管の先端の位置に相当する位置が上方に凸出していることを特徴とする請求項１１または１２記載の炊飯器。
【請求項１４】
前記ガス注入管の先端開口部の断面は、水平方向に長いスリット状であることを特徴とする請求項１１乃至１３の何れかに記載の炊飯器。
【請求項１５】
前記空気溜まり手段が、前記水タンクに着脱自在に設置されていることを特徴とする請求項１乃至１４の何れかに記載の炊飯器。
【請求項１６】
前記空気溜まり手段の空気溜まり天板または空気溜まり側板の一方または両方が、良熱伝導性材料によって形成されることを特徴とする請求項１乃至１５の何れかに記載の炊飯器。
【請求項１７】
前記ガス誘導手段が、前記蓋体に形成された蓋体部ガス流路と、前記本体に形成された本体部ガス流路と、前記空気溜まり手段に固定され前記水タンク内に収納された空気溜まり手段部ガス流路と、から、構成され、
前記蓋体が前記内釜を閉じた際、蓋体部ガス流路の下流側と前記本体部ガス流路の上流側とが連通すると共に、前記蓋体が前記本体部ガス流路を押し下げることによって、前記本体部ガス流路の下流側端部が前記水タンク内に挿入され、前記本体部ガス流路の下流側と前記空気溜まり手段部ガス流路とが連通することを特徴とする請求項１乃至１６の何れかに記載の炊飯器。
【請求項１８】
前記水タンクが、良熱伝導性材料によって形成されることを特徴とする請求項１乃至１７の何れかに記載の炊飯器。
【請求項１９】
前記水タンクが前記本体に着脱自在に設置されることを特徴とする請求項１乃至１８の何れかに記載の炊飯器。
【請求項２０】
前記加熱手段を起動する加熱起動手段と、
該加熱起動手段を冷却するための風路を形成する送風ファンと、
を有し、
前記水タンクが、前記風路内に配置されることを特徴とする請求項１乃至１９の何れかに記載の炊飯器。
【手続補正２】
【補正対象書類名】明細書
【補正対象項目名】０００７
【補正方法】変更
【補正の内容】
【０００７】
本発明に係る炊飯器は、被炊飯物を収納する内釜と、
被炊飯物を加熱する加熱手段と、
前記内釜が載置され前記加熱手段を装備する本体と、
該本体に設置され、前記内釜の上部開口部を開閉自在に覆う蓋体と、
前記被炊飯物が加熱された際、前記内釜から排出される空気および前記被炊飯物から生じる蒸気を誘導するガス誘導手段と、
該ガス誘導手段によって誘導された前記空気および蒸気が注入される空気溜まり手段と、
該空気溜まり手段を収納する水タンクと、
を有し、
前記ガス誘導手段によって誘導された空気によって、前記空気溜まり手段に一旦空気溜まり部が形成され、前記ガス誘導手段によって誘導され蒸気が、当該空気溜まり部に注入されることを特徴とする炊飯器。
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
（Ａ）デジタルデータをアナログ信号に変換するアナログ信号変換部と、
（Ｂ）前記アナログ信号の電流を増幅することで駆動信号を生成する電流増幅部であって、電流増幅用のトランジスタを有する電流増幅部と、
（Ｃ）電圧が異なる複数種類の電源回路と、
（Ｄ）前記複数種類の電源回路の中から、前記アナログ信号の電流増幅に用いられる電源回路を、前記アナログ信号の電位に基づいて選択する回路選択部と、
（Ｅ）を有する駆動信号生成装置。
【請求項２】
請求項１に記載の駆動信号生成装置であって、
前記電流増幅用のトランジスタが有する一対の増幅電流用端子のうち、駆動信号用でない側の増幅電流用端子の電位を、前記アナログ信号の電位に応じて調整する電位調整部を有する、駆動信号生成装置。
【請求項３】
請求項２に記載の駆動信号生成装置であって、
前記電流増幅用のトランジスタは、
前記駆動信号の電位上昇時に動作するＮＰＮ型トランジスタであって、前記アナログ信号がベースに印加され、増幅された電流をコレクタからエミッタに向けて流すＮＰＮ型トランジスタを有し、
前記電位調整部は、
前記ＮＰＮ型トランジスタが有するコレクタの電位を、前記アナログ信号の電位よりも所定電位高くなるように調整する、駆動信号生成装置。
【請求項４】
請求項２に記載の駆動信号生成装置であって、
前記電流増幅用のトランジスタは、
前記駆動信号の電位下降時に動作するＰＮＰ型トランジスタであって、前記アナログ信号がベースに印加され、増幅された電流をエミッタからコレクタに向けて流すＰＮＰ型トランジスタを有し、
前記電位調整部は、
前記ＰＮＰ型トランジスタが有するコレクタの電位を、前記アナログ信号の電位よりも所定電位低くなるように調整する、駆動信号生成装置。
【請求項５】
請求項１から請求項４の何れかに記載の駆動信号生成装置であって、
前記複数種類の電源回路は、
最高電圧の主電源回路と、
前記最高電圧よりも低い電圧の他の電源回路であって、電源容量が前記主電源回路の電源容量よりも小さい他の電源回路とを有する、駆動信号生成装置。
【請求項６】
請求項５に記載の駆動信号生成装置であって、
前記他の電源回路で生成された電源にて充電され、前記駆動信号の電位上昇時における前記電流増幅用のトランジスタの動作によって放電される蓄電素子を有する、駆動信号生成装置。
【請求項７】
請求項６に記載の駆動信号生成装置であって、
前記蓄電素子は、
前記駆動信号の電位下降時にて前記電流増幅用トランジスタから放出される電荷によっても充電される、駆動信号生成装置。
【手続補正２】
【補正対象書類名】明細書
【補正対象項目名】発明の名称
【補正方法】変更
【補正の内容】
【発明の名称】駆動信号生成装置
【手続補正書】
【提出日】平成22年7月8日(2010.7.8)
【手続補正１】
【補正対象書類名】明細書
【補正対象項目名】００１１
【補正方法】変更
【補正の内容】
【００１１】
キャビティＣは固定型２０が形成するキャビティＣ１と可動型３０が形成するキャビティＣ２及びＣ３から構成される。このうち、キャビティＣ１及びＣ２は成形品１の本体部２を形成する。本体部２は、成形品１が図１に示すデジタルカメラ１００に搭載された場合に、デジタルカメラ１００の部材として機能するのに必要な構成要素である。一方、キャビティＣ３は、成形品１の本体部２に形成された台座６を構成し、台座６はデジタルカメラ１００の部材として機能するのに必要な構成要素ではない。台座６には、ゲート４４が接続される。換言すれば、キャビティＣ３は、型開き方向Ｄに沿って一端Ｃ３ａは型分割面Ｌに接続し、他端Ｃ３ｂは熱可塑性樹脂が導入されるゲート４４に接続される。キャビティＣ３にアンダーカット部としてのスライドコア４６によってその一部が規定される。
【手続補正２】
【補正対象書類名】図面
【補正対象項目名】図３
【補正方法】変更
【補正の内容】
【図３】
2009034970.tif 000001
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
腰かけ式便器に設けられるトイレ用手すりであって、
前記トイレ用手すりは、使用者が前記腰かけ式便器に着座した状態において、前記使用者の側方に位置する前記腰かけ式便器の少なくとも一方の側部に配設され、前記使用者の動作を補助する手すり本体を備え、
前記手すり本体は、
前記使用者が前記腰かけ式便器に着座した状態で前記使用者の身体を支持可能なように、前記腰かけ式便器の着座面に対して略平行に設けられる第１手すり部と、
前記使用者が前記腰かけ式便器に着座する際の前記使用者の起立姿勢を支持可能なように、前記第1手すり部よりも上方に設けられる第2手すり部と、
を有し、
前記第2手すり部は、前記使用者が前記腰かけ式便器に着座した状態において、前記使用者が向いている方向を前方、背中を向けている方向を後方としたときに、前記腰かけ式便器の前方端よりも前方に配置されたこと、
を特徴とするトイレ用手すり。
【請求項２】
前記第2手すり部は、前記使用者の動きに合わせて回転自在となるように設けられていること、を特徴とする請求項１記載のトイレ用手すり。
【請求項３】
前記第2手すり部の上面には平坦面が形成されていること、を特徴とする請求項３記載のトイレ用手すり。
【手続補正２】
【補正対象書類名】明細書
【補正対象項目名】０００６
【補正方法】変更
【補正の内容】
【０００６】
本発明の一態様によれば、腰かけ式便器に設けられるトイレ用手すりであって、前記トイレ用手すりは、使用者が前記腰かけ式便器に着座した状態において、前記使用者の側方に位置する前記腰かけ式便器の少なくとも一方の側部に配設され、前記使用者の動作を補助する手すり本体を備え、前記手すり本体は、前記使用者が前記腰かけ式便器に着座した状態で前記使用者の身体を支持可能なように、前記腰かけ式便器の着座面に対して略平行に設けられる第１手すり部と、前記使用者が前記腰かけ式便器に着座する際の前記使用者の起立姿勢を支持可能なように、前記第1手すり部よりも上方に設けられる第2手すり部と、を有し、前記第2手すり部は、前記使用者が前記腰かけ式便器に着座した状態において、前記使用者が向いている方向を前方、背中を向けている方向を後方としたときに、前記腰かけ式便器の前方端よりも前方に配置されたこと、を特徴とするトイレ用手すりが提供される。
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
被検眼の眼内に挿入される眼内レンズを選択するための眼内レンズ選択装置において、
被検眼角膜に測定光を照射しその反射光を受光することにより被検眼角膜が持つ波面収差を測定する測定手段と、
前記測定手段によって得られた被検眼角膜の角膜波面収差と，各種の眼内レンズモデルが持つ波面収差を記憶する記憶手段と、
所望する被検眼の術後残余波面収差を目標値として設定する目標値設定手段と、
前記記憶手段に記憶された被検眼角膜の前記波面収差と眼内レンズモデルが持つ前記波面収差に基づいて被検眼の術後残余波面収差を予想値として各眼内レンズモデル毎に演算する演算手段であって、
前記目標値設定手段によって設定された目標値と前記演算手段によって演算された予想値とを眼内レンズモデル毎に比較することにより目標値に近い眼内レンズモデルを特定する演算手段と、
前記演算手段によって特定された眼内レンズモデルの情報をモニタに表示する表示制御手段と、
を備えることを特徴とする眼内レンズ選択装置。
【請求項２】
請求項１の眼内レンズ選択装置において、
前記演算手段は、前記記憶手段に記憶された被検眼角膜の球面収差に対して前記各眼内レンズモデルが持つ球面収差分を取り除くことにより求められる被検眼の術後残余球面収差を予想値として各眼内レンズモデル毎に演算する演算手段であることを特徴とする眼内レンズ選択装置。
【請求項３】
請求項１の眼内レンズ選択装置において、
前記表示制御手段は、前記眼内レンズモデルが持つ波面収差と前記被検眼角膜の角膜波面収差とに基づいて、前記眼内レンズモデルを眼内に挿入した場合の所定視標の見え方をシュミレーション画像として構築する画像処理手段を有し、
少なくとも前記演算手段により特定された眼内レンズモデルを用いた場合の前記シュミレーション画像をモデル名とともにモニタすることを特徴とする眼内レンズ選択装置。
【請求項４】
請求項３の眼内レンズ選択装置において、
前記モニタに表示する眼内レンズモデルの前記モデル名を前記記憶手段に記憶された他の眼内レンズモデル名に変更するためのモデル名変更手段を備え、
前記表示制御手段は、前記モデル名変更手段によって変更された眼内レンズモデルのモデル名を前記モニタに表示すると共に、対応するシュミレーション画像を前記画像処理手段を用いて変更し、モニタに表示することを特徴とする眼内レンズ選択装置。
【請求項５】
請求項１の眼内レンズ選択装置において、
前記記憶手段は、複数の術者データと，各術者が所望する術後残余波面収差を各術者データに対応づけて記憶させる記憶手段であって、
眼内レンズ選択を行う術者を特定するための術者入力手段と、
前記術者入力手段によって特定された術者に対応する術後残余波面収差を前記目標値として設定する目標値設定手段と、を備えることを特徴とする眼内レンズ選択装置。
【手続補正２】
【補正対象書類名】明細書
【補正対象項目名】０００８
【補正方法】変更
【補正の内容】
【０００８】
（１）  被検眼の眼内に挿入される眼内レンズを選択するための眼内レンズ選択装置において、
被検眼角膜に測定光を照射しその反射光を受光することにより被検眼角膜が持つ波面収差を測定する測定手段と、
前記測定手段によって得られた被検眼角膜の角膜波面収差と，各種の眼内レンズモデルが持つ波面収差を記憶する記憶手段と、
所望する被検眼の術後残余波面収差を目標値として設定する目標値設定手段と、
前記記憶手段に記憶された被検眼角膜の前記波面収差と眼内レンズモデルが持つ前記波面収差に基づいて被検眼の術後残余波面収差を予想値として各眼内レンズモデル毎に演算する演算手段であって、
前記目標値設定手段によって設定された目標値と前記演算手段によって演算された予想値とを眼内レンズモデル毎に比較することにより目標値に近い眼内レンズモデルを特定する演算手段と、
前記演算手段によって特定された眼内レンズモデルの情報をモニタに表示する表示制御手段と、
を備えることを特徴とする。
（２）  （１）の眼内レンズ選択装置において、
前記演算手段は、前記記憶手段に記憶された被検眼角膜の球面収差に対して前記各眼内レンズモデルが持つ球面収差分を取り除くことにより求められる被検眼の術後残余球面収差を予想値として各眼内レンズモデル毎に演算する演算手段であることを特徴とする。
（３）  （１）の眼内レンズ選択装置において、
前記表示制御手段は、前記眼内レンズモデルが持つ波面収差と前記被検眼角膜の角膜波面収差とに基づいて、前記眼内レンズモデルを眼内に挿入した場合の所定視標の見え方をシュミレーション画像として構築する画像処理手段を有し、
少なくとも前記演算手段により特定された眼内レンズモデルを用いた場合の前記シュミレーション画像をモデル名とともにモニタすることを特徴とする。
（４）  （３）の眼内レンズ選択装置において、
前記モニタに表示する眼内レンズモデルの前記モデル名を前記記憶手段に記憶された他の眼内レンズモデル名に変更するためのモデル名変更手段を備え、
前記表示制御手段は、前記モデル名変更手段によって変更された眼内レンズモデルのモデル名を前記モニタに表示すると共に、対応するシュミレーション画像を前記画像処理手段を用いて変更し、モニタに表示することを特徴とする。
（５）  （１）の眼内レンズ選択装置において、
前記記憶手段は、複数の術者データと，各術者が所望する術後残余波面収差を各術者データに対応づけて記憶させる記憶手段であって、
眼内レンズ選択を行う術者を特定するための術者入力手段と、
前記術者入力手段によって特定された術者に対応する術後残余波面収差を前記目標値として設定する目標値設定手段と、を備えることを特徴とする。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
液晶表示器の表示領域を臨ませる第１開口部が形成されて遊技盤のほぼ中央に取り付けられるセンターユニットと、該センターユニットに形成される前記第１開口部と対応する位置であって当該センターユニットの後方に前記液晶表示器の表示領域を臨ませる第２開口部が形成されて遊技盤に取り付けられる演出ユニットと、を備えるパチンコ遊技機であって、
前記演出ユニットは、少なくとも、
円形環状の円盤の片側側面にリングギアが形成されるギアベースに円形環状のリールベースが取り付けられるギアモジュールと、
該ギアモジュールを回転可能に前記円盤の外周を支持する複数のガイドローラと、
該複数のガイドローラをそれぞれ軸支するローラピンと、
駆動ギアが出力軸に取り付けられる駆動モータと、
該駆動モータの出力軸に取り付けられる前記駆動ギアの回転を前記円盤の片側側面に形成される前記リングギアに伝達するギア機構と、
を備え、当該演出ユニットに形成される前記第２開口部の大きさが前記センターユニットに形成される前記第１開口部の大きさとほぼ同一であり、
前記ギアモジュールは、少なくとも、
前記リールベースの円形環状の内側に配置される演出部材と、
該演出部材を前記リールベースの円形環状の内側から外側に向かって前記演出ユニットに形成される前記第２開口部に押し当てるアーム機構と、
を備え、前記アーム機構が前記演出部材を前記演出ユニットに形成される前記第２開口部に押し当てる状態では当該アーム機構が前記センターユニットに隠れて視認困難となり、
前記演出部材は、前記駆動モータの出力軸に取り付けられる前記駆動ギアの回転が前記ギア機構を介して前記リングギアに伝達されて前記ギアモジュールが前記複数のガイドローラに支持されて回転すると、当該ギアモジュールの前記アーム機構によって前記リールベースの円形環状の内側から外側に向かって前記演出ユニットに形成される前記第２開口部に押し当てられる状態で当該第２開口部に沿ってけん引されて可動することを特徴とするパチンコ遊技機。
【請求項２】
請求項１に記載のパチンコ遊技機であって、
前記パチンコ遊技機は、さらに、
前記遊技盤に取り付けられた始動入賞口に遊技球が入球したことに基づいて遊技の進行を制御する主制御基板と、
該主制御基板からのコマンドに基づいて前記演出ユニットを制御する副制御基板と、
を備え、
前記ギアモジュールは、前記リールベースに正極側ワイヤ及び負極側ワイヤがそれぞれ巻き付けられ、かつ、該正極側ワイヤ及び該負極側ワイヤと電気的に接続されたＬＥＤが前記演出部材に取り付けられ、
前記演出ユニットは、さらに、
前記リールベースに巻き付けられた前記正極側ワイヤと接触して電気的に導通した状態となることによって当該正極側ワイヤに正極電圧を印加する正極側フィンガが取り付けられ、かつ、前記リールベースに巻き付けられた前記負極側ワイヤと接触して電気的に導通した状態となることによって当該負極側ワイヤに負極電圧を印加する負極側フィンガが取り付けられる接点モジュール、
を備え、
前記副制御基板は、少なくとも、
前記ガイドローラで支持された前記ギアモジュールを回転させる前記コマンドを受信すると、前記駆動モータに駆動信号を出力する駆動信号出力制御手段と、
前記演出部材に取り付けられた前記ＬＥＤを点灯又は点滅させる前記コマンドを受信すると、前記正極側フィンガに印加されている前記正極電圧及び前記負極側フィンガに印加されている前記負極電圧をオン又はオフするオンオフ制御手段と、
前記コマンドに対応する画面を前記液晶表示器に描画する描画制御手段と、
を備えていることを特徴とするパチンコ遊技機。
【請求項３】
前記接点モジュールは、前記演出ユニットに複数個取り付けられていることを特徴とする請求項２に記載のパチンコ遊技機。
【手続補正２】
【補正対象書類名】明細書
【補正対象項目名】００１４
【補正方法】変更
【補正の内容】
【００１４】
（解決手段２）
解決手段１に記載のパチンコ遊技機であって、前記パチンコ遊技機は、さらに、前記遊技盤に取り付けられた始動入賞口に遊技球が入球したことに基づいて遊技の進行を制御する主制御基板と、該主制御基板からのコマンドに基づいて前記演出ユニットを制御する副制御基板と、を備え、前記ギアモジュールは、前記リールベースに正極側ワイヤ及び負極側ワイヤがそれぞれ巻き付けられ、かつ、該正極側ワイヤ及び該負極側ワイヤと電気的に接続されたＬＥＤが前記演出部材に取り付けられ、前記演出ユニットは、さらに、前記リールベースに巻き付けられた前記正極側ワイヤと接触して電気的に導通した状態となることによって当該正極側ワイヤに正極電圧を印加する正極側フィンガが取り付けられ、かつ、前記リールベースに巻き付けられた前記負極側ワイヤと接触して電気的に導通した状態となることによって当該負極側ワイヤに負極電圧を印加する負極側フィンガが取り付けられる接点モジュール、を備え、前記副制御基板は、少なくとも、前記ガイドローラで支持された前記ギアモジュールを回転させる前記コマンドを受信すると、前記駆動モータに駆動信号を出力する駆動信号出力制御手段と、前記演出部材に取り付けられた前記ＬＥＤを点灯又は点滅させる前記コマンドを受信すると、前記正極側フィンガに印加されている前記正極電圧及び前記負極側フィンガに印加されている前記負極電圧をオン又はオフするオンオフ制御手段と、前記コマンドに対応する画面を前記液晶表示器に描画する描画制御手段と、を備えていることを特徴とするパチンコ遊技機。こうすれば、副制御基板は、主制御基板からコマンドを受信すると、この受信したコマンドに基づいて、液晶表示器に描画する画面に合わせてギアモジュールを回転させて演出部材を演出ユニットに形成された開口部に沿って可動させながら演出部材に取り付けられたＬＥＤを点灯させたり又は点滅させたりすることができる。これにより、ＬＥＤが点灯する状態から点滅する状態に変化させたり、ＬＥＤが点滅する状態から点灯する状態に変化させたり、ＬＥＤが点灯する状態から消灯する状態に変化させたり、ＬＥＤの点滅パターンを変化させたりすることができる。このように、演出部材の可動による演出及びＬＥＤによる演出が加わることによって演出効果を高めることができる。また演出部材に取り付けられたＬＥＤの点灯又は点滅の態様に変化を与えることによって遊技者の視線を演出部材のＬＥＤの点灯又は点滅の態様に向けることができるため、アーム機構による、演出部材を演出ユニットに形成された開口部に押し当てる力が何らかの原因で一瞬弱まって演出部材が開口部から浮き上がり、アーム機構を視認することができる状態となっても、アーム機構の存在をカモフラージュすることができる。
【手続補正３】
【補正対象書類名】明細書
【補正対象項目名】００２１
【補正方法】変更
【補正の内容】
【００２１】
本発明の請求項１においては、遊技者に違和感を与えることなく、演出部材を可動することができる。請求項２においては、演出効果を高めることができる。請求項３においては、導通した状態を維持することができる。